(57)【要約】【課題】  食品の包装等に使用される合成樹脂フィルム，金属箔，紙材等のラップフィルムがロール状に巻回されたラップフィルムロールを交換可能に収納するラップフィルム収納ケースについて、耐久性を高め、製造コストを低くする。【解決手段】  ラップフィルムＲａがロール状に巻回されたラップフィルムロールＲに挿入される芯部材１と、ラップフィルムロールＲを内部に収納してラップフィルムＲａを繰出し可能にするケーシング２とを備えている。芯部材１には、軸部３が設けられている。ケーシング２には、軸部３を軸受けする軸穴４と軸部３をスライドさせて軸穴４に案内するガイド溝５とが設けられている。軸穴４とガイド溝５とは、同じ深さで設けられている。軸部３と軸穴４とは、少なくとも一部が互いに磁力により吸着される材質で形成されている。【選択図】        図１
2010042814.tif 000002
【特許請求の範囲】
【請求項１】
ラップフィルムがロール状に巻回されたラップフィルムロールに挿入される芯部材と、ラップフィルムロールを内部に収納してラップフィルムを繰出し可能にするケーシングとを備え、芯部材，ケーシングの一方に軸部が設けられ、芯部材，ケーシングの他方に軸部を軸受けする軸穴と軸部をスライドさせて軸穴に案内するガイド溝とが設けられたラップフィルム収納ケースにおいて、軸穴とガイド溝とは同じ深さで設けられ、軸部と軸穴とは少なくとも一部が互いに磁力により吸着される材質で形成されていることを特徴とするラップフィルム収納ケース。
【請求項２】
請求項１のラップフィルム収納ケースにおいて、ケーシングは箱形の本体部と本体部の開口面に被せられる板形の蓋部とからなり、軸穴はケーシングの本体部の側面に設けられ、ガイド溝は軸穴からケーシングの本体部の開口面まで連通されていることを特徴とするラップフィルム収納ケース。
【請求項３】
請求項１のラップフィルム収納ケースにおいて、芯部材は両端部にフランジが設けられ、軸穴は芯部材のフランジに設けられ、ガイド溝は軸穴から芯部材のフランジの端縁まで連通されていることを特徴とするラップフィルム収納ケース。
【請求項４】
請求項１〜３のいずれかのラップフィルム収納ケースにおいて、ケーシングは箱形の本体部と本体部の開口面に被せられる板形の蓋部と本体部，蓋部を連結するシート状のヒンジとを備え、ケーシングの本体部，蓋部，ヒンジは防水性を有していることを特徴とするラップフィルム収納ケース。
【発明の詳細な説明】
【技術分野】
【０００１】
本発明は、食品の包装等に使用される合成樹脂フィルム，金属箔，紙材等のラップフィルムがロール状に巻回されたラップフィルムロールを交換可能に収納するラップフィルム収納ケースに係る技術分野に属する。
【背景技術】
【０００２】
最近、食品衛生についての関心の高まりから、ラップフィルムの使用量が著しく増大している。これに伴って、ラップフィルムロールを収納した使捨ての収納ケース（通常、紙のケーシングと金属材，合成樹脂材の切断刃とからなる。）の大量廃棄が環境問題を引起こすようになってきている。このため、ラップフィルムロールを補充収納して使捨てを避けることのできる収納ケースの開発が要望されている。
【０００３】
従来、ラップフィルムロールを補充収納して使捨てを避けることを指向した技術としては、例えば、以下に記載のものが知られている。
【特許文献１】特開２００６−３６３１１号公報  特許文献１には、ラップフィルムがロール状に巻回されたラップフィルムロールに挿入される芯部材と、ラップフィルムロールを内部に収納してラップフィルムを繰出し可能にするケーシングとを備え、芯部材に軸部が設けられ、ケーシングに芯部材の軸部を軸受けする軸穴が設けられたラップフィルム収納ケースが記載されている。
【０００４】
特許文献１に係るラップフィルム収納ケースは、使捨ての収納ケースなしで提供されたラップフィルムロールに芯部材を挿入してケーシングの内部に収納し、芯部材に設けられている軸部をケーシングに設けられている軸穴に嵌合させラップフィルムロールを回転可能にすることで、ラップフィルムの繰出しを可能にするものである。そして、ラップフィルムの使用が終了した場合には、軸部の軸穴への嵌合を解除して、芯部材をケーシングから取出し新たなラップフィルムロールに挿入することになる。なお、ケーシングには、ラップフィルムロールに挿入された芯部材に設けられている軸部がケーシングに設けられている軸穴に嵌合しやすくなるように、軸部をスライドさせて軸穴に案内するガイド溝が設けられている。ガイド溝の深さは、軸部と軸穴との嵌合の不測の離脱を阻止するために、軸穴の深さ（軸長）よりも浅く設定されている。また、芯部材の軸部周りとケーシングの軸穴周りとには、芯部材（ラップフィルムロール）の空回りを阻止する微細な係合構造が設けられている。
【発明の開示】
【発明が解決しようとする課題】
【０００５】
特許文献１に係るラップフィルム収納ケースでは、前述の軸穴，ガイド溝の深さの設定から、軸部がガイド溝をスライドする際にガイド溝を押圧してしまうため、軸部，ガイド溝が摩耗，損傷しやすく耐久性が低いという問題点がある。また、芯部材の軸部周りとケーシングの軸穴周りとに微細な係合構造を設けるために、構造が複雑化して製造コストが高くなるという問題点がある。
【０００６】
本発明は、このような問題点を考慮してなされたもので、耐久性が高く製造コストの低いラップフィルム収納ケースを提供することを課題とする。
【課題を解決するための手段】
【０００７】
前述の課題を解決するため、本発明に係るラップフィルム収納ケースは、特許請求の範囲の各請求項に記載の手段を採用する。
【０００８】
即ち、請求項１では、ラップフィルムがロール状に巻回されたラップフィルムロールに挿入される芯部材と、ラップフィルムロールを内部に収納してラップフィルムを繰出し可能にするケーシングとを備え、芯部材，ケーシングの一方に軸部が設けられ、芯部材，ケーシングの他方に軸部を軸受けする軸穴と軸部をスライドさせて軸穴に案内するガイド溝とが設けられたラップフィルム収納ケースにおいて、軸穴とガイド溝とは同じ深さで設けられ、軸部と軸穴とは少なくとも一部が互いに磁力により吸着される材質で形成されていることを特徴とする。
【０００９】
この手段では、軸部を磁力による吸着で軸穴から抜止めできるようにして軸穴，ガイド溝を同じ深さとすることで、軸部がガイド溝をスライドする際にガイド溝を押圧してしまうのを回避する。また、軸部を軸穴に磁力で吸着させることで、軸部周りと軸穴周りとに微細な係合構造を設けることなしに芯部材の空回りを阻止することができる。
【００１０】
また、請求項２では、請求項１のラップフィルム収納ケースにおいて、ケーシングは箱形の本体部と本体部の開口面に被せられる板形の蓋部とからなり、軸穴はケーシングの本体部の側面に設けられ、ガイド溝は軸穴からケーシングの本体部の開口面まで連通されていることを特徴とする。
【００１１】
この手段では、ケーシングが箱形の本体部と板形の蓋部とからなる簡素な構造とされ、芯部材をケーシングの本体部の開口面から出入れしやすいように軸穴，ガイド溝がケーシングの本体部の側面に設けられる。
【００１２】
また、請求項３では、請求項１のラップフィルム収納ケースにおいて、芯部材は両端部にフランジが設けられ、軸穴は芯部材のフランジに設けられ、ガイド溝は軸穴から芯部材のフランジの端縁まで連通されていることを特徴とする。
【００１３】
この手段では、芯部材の両端部に設けられた面状物のフランジに軸穴，ガイド溝が設けられる。
【００１４】
また、請求項４では、請求項１〜３のいずれかのラップフィルム収納ケースにおいて、ケーシングは箱形の本体部と本体部の開口面に被せられる板形の蓋部と本体部，蓋部を連結するシート状のヒンジとを備え、ケーシングの本体部，蓋部，ヒンジは防水性を有していることを特徴とする。
【００１５】
この手段では、ラップフィルムロールを覆うことになるケーシングの全体が防水される。
【発明の効果】
【００１６】
本発明に係るラップフィルム収納ケースは、軸部を磁力による吸着で軸穴から抜止めできるようにして軸穴，ガイド溝を同じ深さとすることで、軸部がガイド溝をスライドする際にガイド溝を押圧してしまうのを回避して、軸部，ガイド溝の摩耗，損傷を防止するため、耐久性が高くなる効果がある。また、軸部を軸穴に磁力で吸着させることで、軸部周りと軸穴周りとに微細な係合構造を設けることなしに芯部材の空回りを阻止することができるため、構造が簡素化されて製造コストが低くなる効果がある。
【００１７】
さらに、請求項２として、ケーシングが箱形の本体部と板形の蓋部とからなる簡素な構造とされ、芯部材をケーシングの本体部の開口面から出入れしやすいように軸穴，ガイド溝がケーシングの本体部の側面に設けられるため、製造コストがより低くなるとともに使い勝手が良好となる効果がある。
【００１８】
さらに、請求項３として、芯部材の両端部に設けられた面状物のフランジに軸穴，ガイド溝が設けられるため、ケーシング側の構造を簡素化することができる効果がある。
【００１９】
さらに、請求項４として、ラップフィルムロールを覆うことになるケーシングの全体が防水されるため、台所等の水まわりでの使用に好適となる効果がある。
【発明を実施するための最良の形態】
【００２０】
以下、本発明に係るラップフィルム収納ケースを実施するための最良の形態を図面に基づいて説明する。
【００２１】
図１〜図５は、本発明に係るラップフィルム収納ケースを実施するための最良の形態の第１例を示すものである。
【００２２】
第１例では、一般家庭用として手持ちで使用されるタイプに適用されるものを示してある。また、ラップフィルムロールＲとして、ラップフィルムＲａが円筒形の中芯筒Ｒｂにロール状に巻回されたものが対象とされている。
【００２３】
第１例は、図１に示すように、芯部材１，ケーシング２，軸部３，軸穴４，ガイド溝５の各部を主要部として構成されている。
【００２４】
芯部材１は、ラップフィルムロールＲの中芯筒Ｒｂに挿入されるもので、断面がほぼ十字形の挿入枠１１と挿入枠１１の両端部に設けられた円板形のフランジ１２，１３とが合成樹脂材で一体成形されている。挿入枠１１は、十字形に交差している１つの板片１１ａがラップフィルムロールＲの中芯筒Ｒｂの内径とほぼ一致する幅の細長板形に形成され、十字形に交差している他の１つの板片１１ｂが板バネ形のバネ片が長さ方向に連続してラップフィルムロールＲの中芯筒Ｒｂの内径よりもわずかに大きな幅のバネ板形に形成されている。１つのフランジ１２は、図４（Ａ）に示すように、外径ａがラップフィルムロールＲの中芯筒Ｒｂの内径とほぼ一致するように形成されている。他の１つのフランジ１３は、図４（Ａ）に示すように、外径ｂがラップフィルムロールＲの中芯筒Ｒｂの内径よりも大きく形成されている。
【００２５】
ケーシング２は、芯部材１が挿入されたラップフィルムロールＲを内部に収納してラップフィルムＲａを繰出し可能にするもので、箱形の本体部２１と板形の蓋部２２とシート状のヒンジ２３と薄板状の吸着板２４とからなる。本体部２１，蓋部２２の材料としては、軽量で防水性のある合成樹脂材である低発泡塩化ビニル板（例えば、アクリサンデー（株）の商品名「ＦＯＲＥＸ」が好適）が選択される。ヒンジ２３の材料としては、折曲げ反復耐性に優れ防水性のある合成樹脂材であるポリプロピレンシート（例えば、アクリサンデー（株）の商品名「ＰＰクラフトシート」が好適）が選択される。吸着板２４の材料としては、ラップフィルムロールＲのラップフィルムＲａが吸着する特性を有する合成樹脂材（例えば、筒中プラスチック工業（株）の商品名「サンロイドユニ」が好適）が選択される。本体部２１は、１つの底面２１ａと２つの相対するほぼ正方形の側面２１ｂと２つの相対する長方形の側面２１ｃとで囲まれた一面開放形の箱形に形成されている。本体部２１の１つの長方形の側面２１ｃの上端部には、細幅のヒンジ取付溝２１ｄが設けられている。蓋部２２は、本体部２１の側面２１ｂ，２１ｃの端面を含む開口面の全体を覆う大きさに形成された蓋本体２２ａの１つの長手辺に沿って９０度に屈曲され本体部２１の他の１つの長方形の側面２１ｃの外側面に当接される屈曲片２２ｂが設けられ、蓋本体２２ａの内側面の他の１つの長手辺に沿って細幅のヒンジ取付溝２２ｃが設けられている。屈曲片２２ｂは、内側面にラップフィルムロールＲから繰出されたラップフィルムＲａを切断する金属材，合成樹脂材の細長板形の切断刃６が差込み固定される差込溝２２ｄが設けられ、切断刃６本体部２１の１つの長方形の側面２１ｃの外側面に圧接状態で当接され蓋部２２の閉蓋状態を保持することができるようになっている。ヒンジ２３は、本体部２１のヒンジ取付溝２１ｄと蓋部２２のヒンジ取付溝２２ｃとに展開された状態で熱溶着，接着材塗布等により貼着されている。吸着板２４は、本体部２１の１つの長方形の側面２１ｃの内側面（細幅の一部），端面，外側面（細幅の一部）にコ字形に屈曲されて熱溶着，接着材塗布等により貼着されている。
【００２６】
軸部３は、芯部材１（ラップフィルムロールＲ）の回転中心となるもので、芯部材１のフランジ１２，１３の中心に軸方向の外側に突出するようにそれぞれ取付けられた小円柱形のマグネットからなる。この軸部３は、例えば、円形の端面（表面）側がＮ極に着磁されている。
【００２７】
軸穴４は、軸部３を軸受けするもので、ケーシング２の本体部２１のほぼ正方形の側面２１ｂの中心に堀込まれ軸部３の周面と当接する小半円形の軸受溝４１の底部分に軸部３の端面と当接する小円柱形のマグネットの軸吸着体４２が埋込まれている。軸吸着体４２は、例えば、円形の表面側がＳ極に着磁されている。
【００２８】
ガイド溝５は、軸部３をスライドさせて軸穴４に案内するもので、ケーシング２の本体部２１のほぼ正方形の側面２１ｂに軸穴４の軸受溝４１から開口面となっている端面に連通するように堀込まれている。このガイド溝５は、幅が軸部３の径とほぼ一致され、深さが軸穴４の軸受溝４１と一致している。
【００２９】
第１例によると、ケーシング２が箱形の本体部２１と板形の蓋部２２との簡素な構造からなるため、ケーシング２をラップフィルムロールＲの補充収納を容易にするために多分割構造等とする場合に比して製造コストが低くなる。
【００３０】
第１例を使用するには、図２，図４（Ａ）に示すように、芯部材１を径の小さなフランジ１２側からラップフィルムロールＲの中芯筒Ｒｂに挿入する。このとき、芯部材１の挿入枠１１のバネ板形の板片１１ｂは、挿入抵抗によって弾性変形してラップフィルムロールＲの中芯筒Ｒｂを無用に押圧，損傷することなく芯部材１を挿入させる。従って、ラップフィルムロールＲが中芯筒ＲｂなしでラップフィルムＲａが巻回されたものであっても、ラップフィルムＲａを損傷することなく挿入が可能である。芯部材１の挿入は、芯部材１の径の大きなフランジ１３のラップフィルムロールＲの中芯筒Ｒｂへの当接によって停止される。芯部材１の挿入の後には、ラップフィルムロールＲの中芯筒Ｒｂの形状が芯部材１の十字形の挿入枠１１によって保形される。
【００３１】
次ぎに、図３，図４（Ｂ），（Ｃ）に示すように、芯部材１が挿入されたラップフィルムロールＲを開蓋されたケーシング２の開放面側から内部に収納する。このとき、軸部３をガイド溝５にスライドさせることで、軸部３をスムースに軸穴４まで移動させることができる。即ち、ケーシング２を多分割構造等ではない箱形の本体部２１と板形の蓋部２２との簡素な構造としているにもかかわらず、支障なくラップフィルムロールＲの補充収納することができる。特に、ガイド溝５の深さと軸穴４の軸受溝４１の深さとが一致しているため、スライドする軸部３がガイド溝５を押圧するのを回避することができる。このため、軸部３，ガイド溝５の摩耗，損傷が防止されて耐久性が高くなる。軸穴４まで軸部３が移動されると、軸部３が軸穴４に軸受けされ、ラップフィルムロールＲがケーシング２の内部に回転可能に収納されたことになる。
【００３２】
この後、図５（Ｂ）に示すように、ラップフィルムロールＲから適当長のラップフィルムＲａを繰出して、ケーシング２を閉蓋する。ケーシング２が閉蓋されると、繰出されたラップフィルムロールＲのラップフィルムＲａが蓋部２２の屈曲片２２ｂによって吸着板２４に押付けられて吸着される。この結果、繰出されたラップフィルムロールＲのラップフィルムＲａが不測に巻戻されることがなくなる。
【００３３】
図５（Ｂ）に示すようなラップフィルムロールＲの収納状態では、ラップフィルムロールＲが防水性のケーシング２によって完全に包囲されていることになる。従って、台所等の水まわりでの使用に好適となる。
【００３４】
また、図５（Ｂ）に示すようなラップフィルムロールＲの収納状態では、軸部３，軸穴４の軸吸着体４２が互いに吸着されている。従って、特許文献１に係るラップフィルム収納ケースのような微細な係合構造を軸部３周り，軸穴４周りに設けなくても、ラップフィルムロールＲのラップフィルムＲａの繰出し等の際に芯部材１（ラップフィルムロールＲ）の空回りを阻止することができる。この結果、構造が簡素化されて製造コストが低くなる。
【００３５】
なお、ラップフィルムロールＲのラップフィルムＲａが繰出し尽くした場合には、ケーシング２を開蓋して、芯部材１（ラップフィルムロールＲの中芯筒Ｒｂ）を前述の逆の動作で取出すことになる。そして、芯部材１を新たなラップフィルムロールＲの中芯筒Ｒｂに挿入する。
【００３６】
図６は、本発明に係るラップフィルム収納ケースを実施するための最良の形態の第２例を示すものである。
【００３７】
第２例は、軸部３を軸穴４の軸吸着体４２との対面部分に少しの平坦部３１を設けた球体としてある。
【００３８】
第２例によると、第１例に比して軸部３を軸穴４の軸吸着体４２との吸着面積が減少されることで、芯部材１（ラップフィルムロールＲ）回転抵抗を減少させて、ラップフィルムロールＲのラップフィルムＲａの繰出しを軽くすることができる。
【００３９】
図７は、本発明に係るラップフィルム収納ケースを実施するための最良の形態の第３例を示すものである。
【００４０】
第３例は、軸部３をケーシング２側に設け、軸穴４，ガイド溝５を芯部材１側に設けた構成としてある。軸部３は、ケーシング２の本体部２１のほぼ正方形の側面２１ｂの中心に設けられている。軸穴４，ガイド溝５は、芯部材１のフランジ１２，１３に設けられている。
【００４１】
第３例によると、ケーシング２の構造を簡素化して、軸穴４，ガイド溝５を設けることが内面加工となる製造面の不利益を回避することができる。
【００４２】
以上、図示した各例の外に、ケーシング２のヒンジ２３を他の構造のものとすることも可能である。
【００４３】
さらに、軸部３と軸穴４の軸吸着体４２との一方のみをマグネットとし他方をマグネットに吸着される鉄材等とすることも可能である。また、軸部３と軸穴４の軸吸着体４２との一部のみをマグネット，鉄材等とすることも可能である。
【００４４】
さらに、切断刃６をケーシング２の蓋部２２の屈曲片２２ｂに粘着テープで取付けることも可能である。
【産業上の利用可能性】
【００４５】
本発明に係るラップフィルム収納ケースは、業務用の大型のものや壁面，卓上に設置して使用するもの等にも適用することが可能である。
【図面の簡単な説明】
【００４６】
【図１】本発明に係るラップフィルム収納ケースを実施するための最良の形態の第１例の斜視図である。
【図２】図１の要部のラップフィルムロールへの挿入状態の斜視図である。
【図３】図１のラップフィルムロールの収納状態図である。
【図４】図１から図３に至る状態の断面図である。
【図５】図４の縦断面図であり、（Ａ）が図４（Ｃ）に対応し、（Ｂ）が（Ａ）の要部の他の動作状態を示している。
【図６】本発明に係るラップフィルム収納ケースを実施するための最良の形態の第２例の要部の斜視図である。
【図７】本発明に係るラップフィルム収納ケースを実施するための最良の形態の第３例の斜視図である。
【符号の説明】
【００４７】
１            芯部材
２            ケーシング
３            軸部
４            軸穴
５            ガイド溝
Ｒ            ラップフィルムロール
Ｒａ          ラップフィルム
Ｒｂ          中芯筒
【図１】
2010042814.tif 000003
【図２】
2010042814.tif 000004
【図３】
2010042814.tif 000005
【図４】
2010042814.tif 000006
【図５】
2010042814.tif 000007
【図６】
2010042814.tif 000008
【図７】
2010042814.tif 000009